(57)【要約】【課題】空調温度設定値の季節毎の変更の手間を削減し、かつ省エネルギーを実現する。【解決手段】空調温度設定装置１は、現在の日付があらかじめ定められた対象期間内かどうかを判定する対象期間判定部１３と、現在の日付が対象期間の初日である場合に、空調温度設定値をあらかじめ定められた初期値に設定する空調温度設定値切替部１４と、初期値の設定後に空調温度設定値が変更されたかどうかを判定する空調温度設定値監視部１７と、現在の日付が対象期間内で、かつ空調温度設定値が変更された場合のみ、変更された空調温度設定値を所定の変化率で初期値に戻す空調温度設定値調整部１８とを備える。【選択図】  図１
2010071607.tif 000002
【特許請求の範囲】
【請求項１】
現在の日付があらかじめ定められた対象期間内かどうかを判定する対象期間判定手段と、
現在の日付が前記対象期間の初日である場合に、空調温度設定値をあらかじめ定められた初期値に設定する空調温度設定値切替手段と、
前記初期値の設定後に前記空調温度設定値が変更されたかどうかを判定する空調温度設定値監視手段と、
現在の日付が前記対象期間内で、かつ前記空調温度設定値が変更された場合のみ、変更された空調温度設定値を所定の変化率で前記初期値に戻す空調温度設定値調整手段とを備えることを特徴とする空調温度設定装置。
【請求項２】
請求項１記載の空調温度設定装置において、
前記空調温度設定値調整手段は、夏季に設定される対象期間であるクール期間において前記空調温度設定値がクール期間の初期値よりも低い値に変更された場合に、変更された空調温度設定値を前記クール期間の初期値に戻し、冬季に設定される対象期間であるウォーム期間において前記空調温度設定値がウォーム期間の初期値よりも高い値に変更された場合に、変更された空調温度設定値を前記ウォーム期間の初期値に戻すことを特徴とする空調温度設定装置。
【請求項３】
現在の日付があらかじめ定められた対象期間内かどうかを判定する対象期間判定手順と、
現在の日付が前記対象期間の初日である場合に、空調温度設定値をあらかじめ定められた初期値に設定する空調温度設定値切替手順と、
前記初期値の設定後に前記空調温度設定値が変更されたかどうかを判定する空調温度設定値監視手順と、
現在の日付が前記対象期間内で、かつ前記空調温度設定値が変更された場合のみ、変更された空調温度設定値を所定の変化率で前記初期値に戻す空調温度設定値調整手順とを備えることを特徴とする空調温度設定値決定方法。
【請求項４】
請求項３記載の空調温度設定値決定方法において、
前記空調温度設定値調整手順は、夏季に設定される前記対象期間であるクール期間において前記空調温度設定値がクール期間の初期値よりも低い値に変更された場合に、変更された空調温度設定値を前記クール期間の初期値に戻し、冬季に設定される前記対象期間であるウォーム期間において前記空調温度設定値がウォーム期間の初期値よりも高い値に変更された場合に、変更された空調温度設定値を前記ウォーム期間の初期値に戻すことを特徴とする空調温度設定値決定方法。
【発明の詳細な説明】
【技術分野】
【０００１】
本発明は、空調制御に係り、特に空調温度設定値を管理する空調温度設定装置および空調温度設定値決定方法に関するものである。
【背景技術】
【０００２】
従来、空調温度設定値は、夏季の場合は例えば２５℃、冬季の場合は例えば２０℃といったように季節毎に変更される。また、空調温度設定値は、ビル管理者が天候、その他の要素を考慮し、経験に基づいて決定するようにしていた。しかしながら、このような温度設定値の決定方法によると、ビル管理者の要求は満足されるが、快適性の要求や省エネの要求、居住者の要求についてはこれが反映されず、ビルの居住者等に不満が生じる恐れがあった。
【０００３】
そこで、相異なる設定値要求を調和し、居住者やビルの管理者、ビルのオーナ等の不満を最小限に食い止めることのできる設定値決定方法が提案されている（例えば特許文献１参照）。この設定値決定方法では、快適温度設定値、省エネ温度設定値、管理者側温度設定値、居住者側温度設定値といった各種の設定値を重み付け平均し、この重み付け平均して得た値を空調ゾーンに対する実際の空調温度設定値としていた。
【０００４】
【特許文献１】特開平６−３３１１９８号公報
【発明の開示】
【発明が解決しようとする課題】
【０００５】
しかしながら、特許文献１に開示された設定値決定方法では、居住者やビルの管理者、ビルのオーナが各種の温度設定値を季節毎に設定しなければならないという問題点があった。また、特許文献１に開示された設定値決定方法では、例えば居住者が居住者側温度設定値を変更した場合、この変更後の居住者側温度設定値と快適温度設定値と省エネ温度設定値と管理者側温度設定値の重み付け平均によって実際の空調温度設定値が決定されるが、変更された設定が継続的に使用されることになり、エネルギーを削減する余地がある場合でも設定が維持されるため、省エネルギーの機会を逃してしまうという問題点があった。
【０００６】
本発明は、上記課題を解決するためになされたもので、空調温度設定値の季節毎の変更の手間を削減し、かつ省エネルギーを実現することができる空調温度設定装置および空調温度設定値決定方法を提供することを目的とする。
【課題を解決するための手段】
【０００７】
本発明の空調温度設定装置は、現在の日付があらかじめ定められた対象期間内かどうかを判定する対象期間判定手段と、現在の日付が前記対象期間の初日である場合に、空調温度設定値をあらかじめ定められた初期値に設定する空調温度設定値切替手段と、前記初期値の設定後に前記空調温度設定値が変更されたかどうかを判定する空調温度設定値監視手段と、現在の日付が前記対象期間内で、かつ前記空調温度設定値が変更された場合のみ、変更された空調温度設定値を所定の変化率で前記初期値に戻す空調温度設定値調整手段とを備えることを特徴とするものである。
また、本発明の空調温度設定装置の１構成例において、前記空調温度設定値調整手段は、夏季に設定される対象期間であるクール期間において前記空調温度設定値がクール期間の初期値よりも低い値に変更された場合に、変更された空調温度設定値を前記クール期間の初期値に戻し、冬季に設定される対象期間であるウォーム期間において前記空調温度設定値がウォーム期間の初期値よりも高い値に変更された場合に、変更された空調温度設定値を前記ウォーム期間の初期値に戻すことを特徴とするものである。
【０００８】
また、本発明の空調温度設定値決定方法は、現在の日付があらかじめ定められた対象期間内かどうかを判定する対象期間判定手順と、現在の日付が前記対象期間の初日である場合に、空調温度設定値をあらかじめ定められた初期値に設定する空調温度設定値切替手順と、前記初期値の設定後に前記空調温度設定値が変更されたかどうかを判定する空調温度設定値監視手順と、現在の日付が前記対象期間内で、かつ前記空調温度設定値が変更された場合のみ、変更された空調温度設定値を所定の変化率で前記初期値に戻す空調温度設定値調整手順とを備えることを特徴とするものである。
【発明の効果】
【０００９】
本発明によれば、現在の日付が対象期間の初日である場合に、空調温度設定値をあらかじめ定められた初期値に設定するようにしたので、空調温度設定値を自動的に切り替えることができ、ビルの管理者などが空調温度設定値を切り替える手間と時間を省くことができる。また、本発明では、空調温度設定値が変更された場合に、変更された空調温度設定値を初期値に戻すようにしたので、省エネルギーを実現することができる。さらに、本発明では、変更された空調温度設定値を所定の変化率で初期値に戻すようにしたので、空調ゾーンの居住者の不快感を最小限に抑えつつ省エネルギーを実現することができる。
【００１０】
また、本発明では、夏季に設定される対象期間であるクール期間において空調温度設定値がクール期間の初期値よりも低い値に変更された場合に、変更された空調温度設定値をクール期間の初期値に戻し、冬季に設定される対象期間であるウォーム期間において空調温度設定値がウォーム期間の初期値よりも高い値に変更された場合に、変更された空調温度設定値をウォーム期間の初期値に戻すようにしたので、空調に要するエネルギーが増大する方向に空調温度設定値が変更された場合に、空調温度設定値を初期値に戻すことになり、最大限の省エネルギーを実現することができる。
【発明を実施するための最良の形態】
【００１１】
以下、本発明の実施の形態について図面を参照して説明する。図１は本発明の実施の形態に係る空調温度設定装置の構成を示すブロック図である。図１において、１は空調温度設定装置、２は空調ゾーンの温度を制御する空調機、３は空調機２を制御するコントローラ、４は空調ゾーンに設置されたユーザターミナルである。
空調温度設定装置１は、空調温度設定部１０と、記憶部１１と、空調温度設定値出力部１２と、対象期間判定部１３と、空調温度設定値切替部１４と、表示部１５と、操作入力部１６と、空調温度設定値監視部１７と、空調温度設定値調整部１８とを備えている。
【００１２】
空調温度設定部１０は、例えばビルの管理者による操作入力部１６の操作に応じて、空調温度設定値の初期値およびこの初期値の対象期間を設定する。空調温度設定部１０は、例えば６月１日から９月３０日までの対象期間を夏季（クール期間）とし、このクール期間の空調温度設定値の初期値を２８℃とする。また、空調温度設定部１０は、例えば１１月１日から３月３１日までの対象期間を冬季（ウォーム期間）とし、このウォーム期間の空調温度設定値の初期値を２０℃とする。
記憶部１１は、これらの初期値や対象期間を記憶する。初期値や対象期間は、操作入力部１６からの入力により任意に設定変更可能である。また、空調温度設定部１０は、例えばビルの居住者によるユーザターミナル４の操作に応じて、空調温度設定値を変更する。
【００１３】
空調温度設定値出力部１２は、記憶部１１に記憶されている現在の空調温度設定値をコントローラ３に出力する。
コントローラ３は、図示しない温度センサによって測定された空調ゾーンの温度と空調温度設定値出力部１２から出力された空調温度設定値とが一致するように操作量を空調機２に出力し、空調機２を制御する。
【００１４】
対象期間判定部１３は、現在の日付が記憶部１１に記憶されている対象期間内かどうかを判定する。
空調温度設定値切替部１４は、対象期間の初日に空調温度設定値を初期値に変更する。すなわち、空調温度設定値切替部１４は、クール期間の初日に空調温度設定値をクール期間の初期値２８℃に変更し、ウォーム期間の初日に空調温度設定値をウォーム期間の初期値２０℃に変更する。
【００１５】
表示部１５は、ＣＲＴや液晶ディスプレイなどの表示デバイスからなり、例えばビルの管理者に対して対象期間の日付や対象期間の空調温度設定値の初期値、現在の空調温度設定値などの各種情報を表示する。
操作入力部１６は、タッチパネル、キーボード、マウス等の入力デバイスと、その制御部とからなり、人の操作に応じた操作情報を出力する。
【００１６】
空調温度設定値監視部１７は、空調温度設定値が変更されたかどうかを一定周期毎に監視する。さらに、空調温度設定値監視部１７は、空調温度設定値が変更された場合、現在がクール期間であれば、変更後の空調温度設定値がクール期間の初期値より低い値に変更されたかどうかを判定し、現在がウォーム期間であれば、変更後の空調温度設定値がウォーム期間の初期値より高い値に変更されたかどうかを判定する。
【００１７】
空調温度設定値調整部１８は、クール期間において空調温度設定値がクール期間の初期値より低い値に変更された場合、あるいはウォーム期間において空調温度設定値がウォーム期間の初期値より高い値に変更された場合、変更された空調温度設定値を対象期間の初期値に戻す。ただし、空調温度設定値を急変させると、例えば居住者に不満が生じる恐れがある。そこで、空調温度設定値調整部１８は、あらかじめ定められた変化率（例えば０．１℃／時間）で少しずつ空調温度設定値を対象期間の初期値に戻すようにする。この変化率は、操作入力部１６からの入力により変更可能であり、居住者の快適性を損なわない範囲で決定すればよい。
【００１８】
なお、空調温度設定値調整部１８は、現在の日時が対象期間外である場合、クール期間において空調温度設定値がクール期間の初期値より高い値に変更された場合、あるいはウォーム期間において空調温度設定値がウォーム期間の初期値より低い値に変更された場合には、空調温度設定値を変更しない。
【００１９】
以下、本実施の形態の空調温度設定装置１の動作を説明する。図２は空調温度設定装置１の動作を示すフローチャートである。
対象期間判定部１３は、現在の日付がクール期間の初日かどうかを判定する（ステップＳ１）。空調温度設定値切替部１４は、ステップＳ１において現在の日付がクール期間の初日であると判定された場合、空調温度設定値を記憶部１１に記憶されているクール期間の初期値２８℃に設定する（ステップＳ２）。
【００２０】
また、対象期間判定部１３は、ステップＳ１においてクール期間の初日でないと判定した場合、現在の日付がウォーム期間の初日かどうかを判定する（ステップＳ３）。空調温度設定値切替部１４は、ステップＳ３において現在の日付がウォーム期間の初日であると判定された場合、空調温度設定値を記憶部１１に記憶されているウォーム期間の初期値２０℃に設定する（ステップＳ４）。
【００２１】
なお、ステップＳ２の処理は、クール期間の初日の空調起動時に一回実行されるだけで、以降は実行されることはない。同様に、ステップＳ４の処理は、ウォーム期間の初日の空調起動時に一回実行されるだけである。
空調温度設定値切替部１４によって設定された空調温度設定値は、記憶部１１に格納され、空調温度設定値出力部１２を介してコントローラ３に出力される。
【００２２】
次に、空調温度設定値監視部１７は、空調温度設定値が変更されたかどうかを判定する（ステップＳ５）。空調温度設定部１０は、例えばビルの管理者が操作入力部１６を用いて空調温度設定値変更操作を行った場合、あるいはビルの居住者がユーザターミナル４を用いて空調温度設定値変更操作を行った場合、これらの操作に応じて、記憶部１１に記憶されている空調温度設定値を変更する。
対象期間判定部１３は、ステップＳ５において空調温度設定値が変更されたと判定された場合、現在の日付がクール期間またはウォーム期間のいずれかの対象期間内かどうかを判定する（ステップＳ６）。
【００２３】
空調温度設定値調整部１８は、ステップＳ７において現在の日付がクール期間であると判定された場合、空調温度設定値が記憶部１１に記憶されているクール期間の初期値２８℃よりも低い値に変更されたかどうかを判定する（ステップＳ８）。空調温度設定値調整部１８は、空調温度設定値がクール期間の初期値２８℃よりも低い値に変更された場合、記憶部１１に記憶されている空調温度設定値をクール期間の初期値２８℃に戻す（ステップＳ９）。このとき、空調温度設定値調整部１８は、あらかじめ定められた変化率で空調温度設定値をクール期間の初期値２８℃に戻す。
【００２４】
図３はクール期間における空調温度設定値調整部１８の動作を示す図である。図３の時刻ｔ１において、空調温度設定値がクール期間の初期値２８℃よりも低い値に変更された場合、空調温度設定値調整部１８は、空調温度設定値をあらかじめ定められた変化率で少しずつ上げて初期値２８℃に戻す。したがって、コントローラ３に出力される空調温度設定値も、図３に示すように時刻ｔ１からｔ２の間で少しずつ上昇して初期値２８℃に戻る。
【００２５】
次に、図３の時刻ｔ２では、空調温度設定値が初期値２８℃よりも高い値に変更されており、ステップＳ８において判定ＮＯとなるので、空調温度設定値調整部１８は空調温度設定値を変更しない。したがって、コントローラ３には、変更された空調温度設定値がそのまま出力される。また、図３の時刻ｔ３では、空調温度設定値が初期値２８℃よりも低い値に変更されているが、時刻ｔ３が対象期間外の時刻なので、ステップＳ６において判定ＮＯとなり、空調温度設定値調整部１８は空調温度設定値を変更しない。
【００２６】
一方、空調温度設定値調整部１８は、ステップＳ７において現在の日付がウォーム期間であると判定された場合、空調温度設定値が記憶部１１に記憶されているウォーム期間の初期値２０℃よりも高い値に変更されたかどうかを判定する（ステップＳ１０）。空調温度設定値調整部１８は、空調温度設定値がウォーム期間の初期値２０℃よりも高い値に変更された場合、記憶部１１に記憶されている空調温度設定値をウォーム期間の初期値２０℃に戻す（ステップＳ１１）。このとき、空調温度設定値調整部１８は、あらかじめ定められた変化率で空調温度設定値をウォーム期間の初期値２０℃に戻す。
【００２７】
図４はウォーム期間における空調温度設定値調整部１８の動作を示す図である。図４の時刻ｔ４において、空調温度設定値がウォーム期間の初期値２０℃よりも高い値に変更された場合、空調温度設定値調整部１８は、空調温度設定値をあらかじめ定められた変化率で少しずつ下げて初期値２０℃に戻す。したがって、コントローラ３に出力される空調温度設定値も、図４に示すように時刻ｔ４からｔ５の間で少しずつ下降して初期値２０℃に戻る。
【００２８】
次に、図４の時刻ｔ５では、空調温度設定値が初期値２０℃よりも低い値に変更されており、ステップＳ１０において判定ＮＯとなるので、空調温度設定値調整部１８は空調温度設定値を変更しない。したがって、コントローラ３には、変更された空調温度設定値がそのまま出力される。また、図４の時刻ｔ６では、空調温度設定値が初期値２０℃よりも高い値に変更されているが、時刻ｔ６が対象期間外の時刻なので、空調温度設定値調整部１８は空調温度設定値を変更しない。
【００２９】
空調温度設定装置１は、以上のような図２の処理を一定周期毎に実行する。本実施の形態では、現在の日付が対象期間の初日である場合に、空調温度設定値をあらかじめ定められた初期値に設定するようにしたので、空調温度設定値を自動的に切り替えることができ、ビルの管理者などが空調温度設定値を切り替える手間と時間を省くことができる。また、本実施の形態では、空調温度設定値が変更された場合に、変更された空調温度設定値を初期値に戻すようにしたので、省エネルギーを実現することができる。さらに、本実施の形態では、変更された空調温度設定値を所定の変化率で初期値に戻すようにしたので、空調ゾーンの居住者の不快感を最小限に抑えつつ省エネルギーを実現することができる。
【００３０】
なお、本実施の形態では、主として空調ゾーンが１つの場合について説明しているが、これに限るものではなく、空調ゾーンが複数存在する場合には、空調ゾーン毎に本実施の形態で説明した処理を実行してもよい。
本実施の形態の空調温度設定装置１は、ＣＰＵ、記憶装置および外部とのインタフェースを備えたコンピュータとこれらのハードウェア資源を制御するプログラムによって実現することができる。このようなコンピュータにおいて、ＣＰＵは、記憶装置に格納されたプログラムに従って本実施の形態で説明した処理を実行する。
【産業上の利用可能性】
【００３１】
本発明は、空調温度設定値を管理する技術に適用することができる。
【図面の簡単な説明】
【００３２】
【図１】本発明の実施の形態に係る空調温度設定装置の構成を示すブロック図である。
【図２】図１の空調温度設定装置の動作を示すフローチャートである。
【図３】クール期間における空調温度設定値調整部の動作を示す図である。
【図４】ウォーム期間における空調温度設定値調整部の動作を示す図である。
【符号の説明】
【００３３】
１…空調温度設定装置、２…空調機、３…コントローラ、４…ユーザターミナル、１０…空調温度設定部、１１…記憶部、１２…空調温度設定値出力部、１３…対象期間判定部、１４…空調温度設定値切替部、１５…表示部、１６…操作入力部、１７…空調温度設定値監視部、１８…空調温度設定値調整部。
【図１】
2010071607.tif 000003
【図２】
2010071607.tif 000004
【図３】
2010071607.tif 000005
【図４】
2010071607.tif 000006